Podtech/llm-jp-corpus-v4-ja_patent huggingface dataset:
(57)【特許請求の範囲】
【請求項１】
シンクの排水口に直接取り付けるディスポーザにおいて、
ディスポーザの粉砕回転盤の下方側にある粉砕生ゴミスラリー液を排出する第１排出口とは別に、
前記第１排出口が詰まって前記ディスポーザが使用できない場合に洗い水をストレーナーを通じて下水側に直接流せる第２排水口を有する応急用排水手段があり、前記応急用排水手段の下方に、下部に粉砕回転盤を有する円錐形の生ゴミを溜める空間部があることを特徴とするディスポーザ。
【発明の詳細な説明】
【技術分野】
【０００１】
本発明は、ディスポーザで排水ができなくなった異常時に、ディスポーザの生ゴミを溜め粉砕する空間部の入口上部側には、洗い水を国内基準の目開きサイズのストレーナーを通じて下水側に直接流せる応急用排水手段に関するものである。
【背景技術】
【０００２】
近年、居住者の多くが安全、安心また健康で快適な居住空間の提供を望み住宅等建物の付帯設備もかなり充実してきている。
その中で、米国など海外で普及しているディスポーザが日本国内でも普及し始めてきている。
しかし、使用者が不慣れだった場合などディスポーザに異物が噛み込み故障また粉砕後の生ゴミが配管に詰まるなどして排水ができなくなることで炊事ができないケースが多々あり、このような場合、メンテ業者に緊急修理依頼するが緊急修理の対応も修理業者には大きな負担となっているのが現状である。
この状況を解消する手段として下記の先行技術文献があり公知となっている。
【先行技術文献】
【特許文献】
【０００３】
【特許文献１】特許第４８５１４９４号公報
【発明の概要】
【発明が解決しようとする課題】
【０００４】
しかしながら、特許第４８５１４９４号公報は全く同じ構成ではあるがその技術的思想の前提が洗剤、油、塩類、漂白剤等の発酵分解阻害物を洗い水と共に排水し除去することが目的で、本発明の技術的思想である異常時の応急用排水手段とは全く違うのである。
そのためにディスポーザの粉砕生ゴミスラリー液を自重で排水する既ディスポーザにも同じ機構を取り付ける必要性があった。
上記の背景技術で述べたが、ディスポーザに異物が噛み込み故障また粉砕生ゴミスラリー液配管が詰まり排水ができなくなった場合に緊急修理依頼しないで済む方法を技術的に確立する必要がある。
【０００５】
本発明は、粉砕生ゴミスラリー液配管が詰まり排水できなくなった場合に、別なルートで排水可能な排水手段を別途設けることで緊急修理依頼しなくても炊事ができるよう新たな応急用排水手段を提供することが目的である。
【課題を解決するための手段】
【０００６】
前記目的を達成するため本発明は、以下の技術的手段を講じた。
第１に、シンクの排水口に直接取り付けるディスポーザにおいて、
ディスポーザの粉砕回転盤の下方側にある粉砕生ゴミスラリー液を排出する第１排出口とは別に、
前記第１排出口が詰まって前記ディスポーザが使用できない場合に洗い水をストレーナーを通じて下水側に直接流せる第２排水口を有する応急用排水手段があり、前記応急用排水手段の下方に、下部に粉砕回転盤を有する円錐形の生ゴミを溜める空間部があることを特徴とするディスポーザとした。
第２に、野菜くず等の生ゴミが下水道側に流れないようストレーナーの目開きサイズは国内基準を遵守するとした。
【発明の効果】
【０００７】
本発明は、粉砕生ゴミスラリー液の配管が詰まり排水できなくなった場合でも緊急修理依頼しなくも炊事ができるので快適で安心な商品の提供ができる。
【図面の簡単な説明】
【０００８】
【図１】応急用排水手段を設けたディスポーザの概念図
【発明を実施するための形態】
【０００９】
以下、本発明の実施の形態を図１基づいて説明する。
図１は、応急用排水手段の第２排出口３３と第１排出口４３の両方を有するディスポーザ１０の概念を図示している。
このディスポーザ１０はシンク２１の排水口２２に直接取り付けるディスポーザ１０でディスポーザ１０の入口上部側１５には洗い水がストレーナー３２を通じて下水に直接流せる第２排出口３３と、
第２排出口３３の上流側に取り付けた国内基準を遵守する目開きサイズのストレーナー３２の下方から中間部そして下部側の粉砕回転盤５５の間には生ゴミを溜める空間部５７があり、生ゴミを前記粉砕回転盤５５で粉砕しスラリー化した生ゴミを排出する第１排出口４３を有しているディスポーザ１０である。
【００１０】
通常時、料理や食事後に出る生ゴミは弾性部材で成型された切り割れ蓋９９を通じてディスポーザ１０の生ゴミを溜める空間部５７に洗い水と共に流し落とされて溜まり粉砕処理される。
しかし、ディスポーザ１０に異物が噛み込み故障また粉砕後の生ゴミが配管に詰まるなどして第１排出口４３から排水ができない異常時は、蓋スイッチ９０を取り外して別途取り付けるパンチング皿９５を使用し洗い水を排水できるので炊事が可能となっている。
したがって、第１排出口４３から排水できない異常時、生ゴミをパンチング皿９５で取除きパンチング皿９５を通過した排水はもう一度ストレーナー３２を通じて第２排出口３３から下水側に流せるようになっている。
この応急用排水手段によって異常時でも炊事を中断することなくシンクに洗い水を流せるのである。
例えば、修理までに長期間を要する場合であっても生ゴミをパンチング皿９５で取除くことで何の支障もなく何日間も炊事が可能になるのである。
【産業上の利用可能性】
【００１１】
この応急用排水手段によって異常時でも炊事を中断することなくシンクに洗い水を流せるので緊急修理の対応がなくなり計画修理が可能になるので修理業者の大きな負担の解消にも結び付く。
【符号の説明】
【００１２】
１０、ディスポーザ
３２、ストレーナー
３３、第２排出口（応急用排水手段）
３８、隙間
３９、濾過手段
４３、第１排出口
５５、粉砕回転盤
５７、空間部
９０、蓋スイッチ
９５、パンチング皿
９９、切り割れ蓋
【図１】
0005952070.tif 000002
(57)【特許請求の範囲】
【請求項１】
基材の一面に取付部材を取り付ける接合面を形成し、該接合面の表面に、レーザー切断加工によって浮上する浮上片を接合面との段部が生じる側を対向させた状態で２つ形成するとともに、該２つの浮上片の対向する内縁に取付部材の一部が嵌まる凹部を形成して、２つの浮上片に囲まれた接合面上の領域に取付部材を回り止めされた状態で位置決めされて取付部材を基材の接合面に配置できるようにしたことを特徴とする基材への部材保持構造。
【発明の詳細な説明】
【技術分野】
【０００１】
本発明は、基材に別部材を保持するための部材保持構造に関するものである。
【背景技術】
【０００２】
基材に別部材を装着する際、接合箇所に簡易的な位置決め手段を形成し、作業性の向上を図ることが行われている。位置決め手段は、例えば特許文献１のように、基材のボルト挿通孔にナットを収容する突起部を押し抜き加工するなどして取付部材の形状に合わせて基材の接合面に加工されるものである。この突起部は、基材の表面に断片を切り抜き加工した後、押し出しや折り曲げといった二次加工を施して形成されるものであり、手間が掛かっていた。
【先行技術文献】
【特許文献】
【０００３】
【特許文献１】特開２００３−３５３０６号公報
【発明の概要】
【発明が解決しようとする課題】
【０００４】
そこで本発明は、基材に別部材を保持する断片の加工を簡素化する部材保持構造を提供することにある。
【課題を解決するための手段】
【０００５】
本発明は上記課題を解決するため、基材の一面に取付部材を取り付ける接合面を形成し、該接合面の表面に、レーザー切断加工によって浮上する浮上片を接合面との段部が生じる側を対向させた状態で２つ形成するとともに、該２つの浮上片の対向する内縁に取付部材の一部が嵌まる凹部を形成して、２つの浮上片に囲まれた接合面上の領域に取付部材を回り止めされた状態で位置決めされて取付部材を基材の接合面に配置できるようにしたものである。
【発明の効果】
【０００８】
本発明によれば、基材の接合面に切断加工によって浮上片を形成し、この浮上片を利用して別部材を保持するようにしたので、押し出しや折り曲げといった二次加工を施すことなく簡単な構造で部材の位置決めを行うことができる。
【図面の簡単な説明】
【０００９】
【図１】本発明の部材保持構造を示す説明図である。
【図２】基材１に取付部材５を取り付けた状態を示す説明図である。
【図３】基材１に取付部材５を取り付けた状態を示す説明図である。
【図４】基材１に別の取付部材１４を取り付けた状態を示す説明図である。
【発明を実施するための最良の形態】
【００１０】
以下、図面を用いて本発明の実施例について説明する。図１は本発明の部材保持構造を示す外観図である。
１は金属製の基材で、板状部材を折り曲げて面１Ａ，１Ｂ，１Ｃ，１Ｄを有する中空角材を形成している。面１Ａには、ボルト２のネジ部が挿通されるボルト挿通孔３が開口されるとともに、このボルト挿通孔３を挟むようにして長手方向に浮上片４，４が形成されている。この面１Ａには、取付部材５が浮上片４，４に位置決めされて仮配置された後、ボルト２によって固定される。面１Ｂには、ボルト挿通孔３の内側にナット６を取り付けるためのナット保持部材７を差し込む差込口８が開口されている。この面１Ｂには、ナット６を取り付けたナット保持部材７が差込口８から挿入された状態でネジ９によって固定される。
【００１１】
浮上片４，４は、レーザー加工機での切削加工時に基材材料に残る残留応力によって発生する切出片の浮上によって形成されるもので、位置決めする取付部材５の形状に合わせて切断する形状や位置が調整される。ここで、取付部材５は、正方形の板材からなり、面１Ａのボルト挿通孔３と連通するボルト挿通孔１０を開口し、基材１に対して４５°回転させた状態で取り付けられる。この場合、基材１の面１Ａにおけるボルト挿通孔３の長手方向右側にΣ字状の切削線を仮想し、ボルト挿通孔３の長手方向左側に逆Σ字状の切削線を仮想し、この仮想した切削線に沿ってレーザー加工機で切削加工することにより切出片が面１Ａから浮上し、取付部材５の位置決めが可能な浮上片４，４が形成される。尚、浮上片４，４の浮上量は、長辺の切出長さによって調整することができる。
【００１２】
ナット保持部材７は、逆Ｌ字状をなし、水平上面部にナット６がフランジ部を上にした状態で嵌入される六角孔１１を開口し、側面垂直部に基材１の面１Ｂに開口したネジ穴１２と整合するネジ穴１３を開口している。差込口８は、ナット保持部材７にナット６を取り付けた状態で挿入可能な大きさをなし、ナット保持部材７をネジ９によってネジ止めした状態で閉塞される。
【００１３】
図２・３は基材１に取付部材５とナット保持部材７を取り付けた状態を示す説明図である。
取付部材５を浮上片４，４に囲まれた領域に配置すると、取付部材５の各辺の一部が浮上片４，４の内縁に保持されて取付姿勢に仮配置される。これにより、面１Ａのボルト挿通孔３と取付部材５に開口したボルト挿通孔１０とが整合する。また、ナット６をナット保持部材７に取り付けた状態で、面１Ｂの差込口８から挿入し、ナット保持部材７を面１Ｂにビス８によって固定する。これにより、ナット６のネジ孔部と面１Ａのボルト挿通孔３が整合する。こうして、面１Ａのボルト挿通孔３・取付部材５のボルト挿通孔１０・ナット６のネジ孔部とが位置合わせされて、ボルト２による固定を容易に行うことができる。
【００１４】
図４は別の取付部材を取り付ける場合を示す説明図である。
基材１の形状は、上記実施態様と同じであり、面１Ａにボルト挿通孔３と浮上片４，４を設けている。取付部材１４は、断面Ｌ形のアングル状部材の底面に浮上片４，４が嵌合する嵌合孔１５，１５を形成し、この嵌合孔１５，１５の間に基材１のボルト挿通孔３と整合するボルト挿通孔１６を形成したものである。このような形状の取付部材１４では、嵌合孔１５，１５を浮上片４，４に嵌合することで位置決めされ、基材１のボルト挿通孔３と取付部材１４のボルト挿通孔１６が整合することで、ボルト２による固定を容易に行うことができるものである。
【符号の説明】
【００１５】
１    基材
２    ボルト
３    ボルト挿通孔
４    浮上片
５    取付部材
６    ナット
７    ナット保持部材
８    差込口
９    ネジ
１０  ボルト挿通孔
１１  六角孔
１２  ネジ穴
１３  ネジ穴
１４  取付部材
１５  嵌合孔
１６  ボルト挿通孔
【図１】
0005952066.tif 000002
【図２】
0005952066.tif 000003
【図３】
0005952066.tif 000004
【図４】
0005952066.tif 000005
(57)【特許請求の範囲】
【請求項１】
回転式骨削除器具のバーにおいて、少なくとも先端側に類球形の曲表面を持ち、
その先端回転軸中心からその近傍までの小範囲に陥凹があり、
その陥凹の表面も含めてバー表面に微小な凹凸加工処理が施されていること
を特徴とする回転式骨削除器具のバー。
【請求項２】
前記の陥凹は、類円錐形に欠切された形状であること
を特徴とする請求項１に記載の回転式骨削除器具のバー。 

【発明の詳細な説明】
【技術分野】
【０００１】  本発明は、内視鏡下脊椎手術等において使用する回転式骨削除器具のサージカルバーに関するものである。
【背景技術】
【０００２】  脊椎手術において回転式の骨削除器具のバーには、刃のあるカッティングバー（図１）と、刃がなく微小な凹凸が表面にあるダイヤモンドバー（図２）の主に二種類がある。カッティングバーは、骨削除能力が高いが、刃により神経を損傷する危険がある。ダイヤモンドバーは刃がないので神経に触れても巻き込まなければ安全だが、骨削除能力は低い。ダイヤモンドバーは砥粒を表面に固着させたもので、砥石と同じように軟性のものはほとんど切削せず硬性のものだけ切削できるので、神経近くの骨を削除する脊髄手術にはもっぱらダイヤモンドバーが用いられる。【０００３】  図３のように、ダイヤモンドバーは先端回転軸中心（図２の１、図３の２）はコマの軸と同じで擦過運動がほとんどないため、そこが最も削除能力が低い。通常はダイヤモンドバーを骨面に対して先端回転軸中心をはずして、すこし斜めにあてて、横方向に往復運動をしながら削る。【０００４】  図４のように、侵襲を少なくするため小径の外筒３を用いて内視鏡下に手術を行う内視鏡下脊椎手術が行われるようになってきたが、可視領域が非常に狭く、そこに挿入する骨削除器具４の横方向（図４の５）の動きもかなり制限されるため、骨削除器具も骨にあてて、軸方向（図４の６）に押し付けるような削り方になる。すると、最も削除能力が低い先端回転軸中心領域が骨削除最前線となり骨削除速度が非常に下がってしまう。
【発明の開示】
【発明が解決しようとする課題】
【０００５】  内視鏡下脊椎手術における骨削除器具でより迅速かつ安全性を保つことを目的とする。【０００６】  従来の脊椎手術で用いるダイヤモンドバーは球形や、楕円球や、球と円柱を足したマッチ棒ような形をしている。これは、骨の奥に神経があり、骨を部分的に貫いたとしても安全なように、バーの先端側を尖らせず、ほぼ球形の凸曲面である。砥粒の凹凸は微小なので、削る対象が硬性であって、それに擦る運動による摩擦力で削ることになる。ダイヤモンドバーの先端の回転軸中心は、コマの軸のように摩擦力が生じないため、切削能力が最も小さい。図５のように非常に硬い平面にダイヤモンドバーを垂直にあてると、最も切削能力が低い先端回転軸中心がその平面にあたり、ほとんど削れない。ダイヤモンドバーを垂直のまま平行移動しても先端回転中心軸のみがあたりながら移動することになるので削れない。内視鏡下脊椎手術の場合は前述のように、このような状況になってしまい、骨削除が迅速にできない。【０００７】  ダイヤモンドバーの球の直径を小さくすれば骨にあたる面積が小さくなるので押し当てる圧力が上がるため削りやすくなるが、骨を貫いたときには一気にバーの直径全体を削り落としてバーをその奥に押し出してしまう。奥には神経があるので、貫くと非常に危険である。バーの先端を尖らせても同様に危険である。バーの直径を大きくすれば、その一部分が骨を貫いたとしてもその他の部分がストッパーとなり奥に押し出してしまうことはなく、貫いた部分も奥への突出がわずかであるため安全である。小圧力で短時間あたるだけなら神経は軟性であるので、切削されることはない。しかし、バーの直径が大きくなると、骨面に押し当てる圧力が下がり、さらに先端回転軸中心の骨削除能の低い部分の面積が大きくなり、削る速度が落ちてしまう。
【課題を解決するための手段】
【０００８】本発明の回転式骨削除器具のバーは、類球形でその先端回転軸中心からその近傍までの小範囲に円錐形に欠切された陥凹があり、その陥凹部分表面も含めバー全体の表面に砥粒固着加工が施されている。
【発明の効果】
【０００９】  最も切削能力が低い先端回転軸中心が切削の最前線に来ることが解消され、切削が迅速になる。骨削除を進めていくと回転軸中心部にも骨があたることになるが、陥凹部分の形に削り残った骨は、小突起状であるため構造上弱く、容易に削られる。【００１０】  骨を貫く時、突出した部分がなく、また他の部分がストッパーになるため奥のものを傷つける危険が少ない。垂直にあてて貫いた場合は、点ではなく、陥凹部分全体の面積を持って抜けるため、押す抵抗の変化が急激であるためその瞬間がわかりやすいので、より安全である。
【発明を実施するための最良の形態】
【００１１】  本発明の実施形態１を図６〜８を用いて説明する。図６は回転軸を含んだ平面による断面図で、図７はその先端部拡大図で、図８はバーの下面図である。シャフト７につながるバー８は球形でその先端回転軸中心を頂点とする円錐形の陥凹（図６の９、図７の１０、図８の１１）がある。陥凹した部分を含めて、全体の表面に砥粒が固着されている。
【図面の簡単な説明】
【００１４】
【図１】既存カッティングバーの側面図である。
【図２】既存ダイヤモンドバーの側面図である。
【図３】バーの下面の回転時動態図である。
【図４】外筒に骨削除器具を挿入した状態の斜側面図である。
【図５】既存ダイヤモンドバーが平面に接地した状態の側断面図である。
【図６】当発明のバーの実施形態１の側断面図である。
【図７】当発明のバーの実施形態１の側断面の先端部拡大図である。
【図８】当発明のバーの実施形態１の下面図である。 
【符号の説明】
【００１５】
１，２      先端回転軸中心
７      シャフト
８      バー
９、１０、１１     陥凹 

【図１】
0005952004.tif 000002
【図２】
0005952004.tif 000003
【図３】
0005952004.tif 000004
【図４】
0005952004.tif 000005
【図５】
0005952004.tif 000006
【図６】
0005952004.tif 000007
【図７】
0005952004.tif 000008
【図８】
0005952004.tif 000009